(57)【要約】【課題】通気路への設置に適した消音器を低コストで提供する。【解決手段】本発明の消音器１は、筒状の空間を形成する筐体２と、この筐体２の内部に配置された複数の吸音体３−１〜３−６と、を備える。各々の吸音体３−１〜３−６は、通気のための開口部６、７ｂ、８，９、１０ｂ、１１を有するとともに、剛体多孔質吸音材の一体構造物によって構成されている。【選択図】図１
2012046898.tif 000002
【特許請求の範囲】
【請求項１】
筒状の空間を形成する筐体と、
前記筐体の内部に配置された少なくとも１つの吸音体と、
を備え、
前記吸音体は、通気のための開口部を有するとともに、剛体多孔質吸音材の一体構造物からなる
ことを特徴とする消音器。
【請求項２】
前記筐体の内部に前記吸音体が複数配置されている
ことを特徴とする請求項１に記載の消音器。
【請求項３】
前記複数の吸音体のうち、前記筐体の中心軸方向で隣り合う２つの吸音体について、一方の吸音体が有する開口部の開口寸法と他方の吸音体が有する開口部の開口寸法が互いに異なる
ことを特徴とする請求項２に記載の消音器。
【請求項４】
前記複数の吸音体のうち、前記筐体の中心軸方向で隣り合う２つの吸音体について、一方の吸音体が有する開口部の開口位置と他方の吸音体が有する開口部の開口位置が互いに異なる
ことを特徴とする請求項２または３に記載の消音器。
【請求項５】
前記一方の吸音体が有する開口部の開口位置と前記他方の吸音体が有する開口部の開口位置が、前記筐体の中心軸方向の一方から見て互いに一部重なり合う状態に配置されている
ことを特徴とする請求項３または４に記載の消音器。
【請求項６】
前記開口部の形状が円形である
ことを特徴とする請求項１〜５のいずれか一つに記載の消音器。
【請求項７】
前記複数の吸音体は、前記筐体の中心軸方向に並ぶＭ個（Ｍは２以上の整数）の吸音体を一つの組として複数の組を構成し、各組の吸音体が、前記筐体の中心軸方向に順に配置されている
ことを特徴とする請求項２に記載の消音器。
【請求項８】
前記複数の組の吸音体のうち、相対応する吸音体は、前記開口部の開口寸法および開口位置が等しい
ことを特徴とする請求項７に記載の消音器。
【請求項９】
請求項１〜８のいずれか一つに記載された消音器を平面的に複数並べて構成されている
ことを特徴とする消音ユニット。
【発明の詳細な説明】
【技術分野】
【０００１】
本発明は、通気路に設置される消音器および消音ユニットに関する。
【背景技術】
【０００２】
オフィスビルやマンション等の建物には、給排気のための通気路が設けられている。通気路は、空気を流すだけではなく、音を伝搬する。このため、たとえば、空調用のファンやボイラなどの設置場所につながる通気路の場合は、それらの駆動音が騒音となり、この騒音が通気路を通して居室空間に伝わる。したがって、そのような通気路の途中には、通気性を有する消音器が設置されている。この消音器は、建物だけでなく、たとえば、地下鉄などの通気路にも設置されている。
【０００３】
消音器の性能は、単に消音機能に優れるだけでなく、通気機能との両立を図ることが重要となる。その理由は主に２つある。第１の理由は、消音器においては、消音機能と通気機能がトレードオフの関係となるためである。第２の理由は、通気機能が低下すると、給排気のための駆動源（ファン等）にかかる負荷が大きくなるためである。駆動源の負荷の増大は、空調設備等の大型化や消費電力の増大などを招く。
【０００４】
そこで、消音機能と通気機能を両立させる従来技術の一つとして、通気路内に複数の衝立構造体を設置する技術が知られている。この従来技術は、通気路を構成するように相対向する２つの壁面に、それぞれ通気路の長さ方向に位置をずらして衝立構造体を設置することにより、消音機能と通気機能を両立させるものである。さらに、かかる従来技術において、消音効果をより高めるために、たとえば、特許文献１に記載されているような吸音体の構造を採用することにより、衝立構造体に吸音機能を持たせる技術も知られている。
【先行技術文献】
【特許文献】
【０００５】
【特許文献１】特開平７−２３８５１３号公報
【発明の概要】
【発明が解決しようとする課題】
【０００６】
しかしながら、上記従来技術においては、吸音体を構成するにあたって、吸音材にグラスウール等の繊維系材料を使用している。このため、繊維系材料特有の形状保持力の弱さから、これを単独で設置することができず、当該繊維系材料を両側から押さえて支持するパンチングメタルが必要になる。したがって、吸音体の製造コストが高くなり、実用化に難点があった。
【０００７】
本発明の主たる目的は、通気路への設置に適した消音器を低コストで提供することにある。
【課題を解決するための手段】
【０００８】
本発明の第１の態様は、
筒状の空間を形成する筐体と、
前記筐体の内部に配置された少なくとも１つの吸音体と、
を備え、
前記吸音体は、通気のための開口部を有するとともに、剛体多孔質吸音材の一体構造物からなる
ことを特徴とする消音器である。
【０００９】
本発明の第２の態様は、
前記筐体の内部に前記吸音体が複数配置されている
ことを特徴とする上記第１の態様に記載の消音器である。
【００１０】
本発明の第３の態様は、
前記複数の吸音体のうち、前記筐体の中心軸方向で隣り合う２つの吸音体について、一方の吸音体が有する開口部の開口寸法と他方の吸音体が有する開口部の開口寸法が互いに異なる
ことを特徴とする上記第２の態様に記載の消音器である。
【００１１】
本発明の第４の態様は、
前記複数の吸音体のうち、前記筐体の中心軸方向で隣り合う２つの吸音体について、一方の吸音体が有する開口部の開口位置と他方の吸音体が有する開口部の開口位置が互いに異なる
ことを特徴とする上記第２または第３の態様に記載の消音器である。
【００１２】
本発明の第５の態様は、
前記一方の吸音体が有する開口部の開口位置と前記他方の吸音体が有する開口部の開口位置が、前記筐体の中心軸方向の一方から見て互いに一部重なり合う状態に配置されている
ことを特徴とする上記第３または第４の態様に記載の消音器である。
【００１３】
本発明の第６の態様は、
前記開口部の形状が円形である
ことを特徴とする上記第１〜第５の態様のいずれか一つに記載の消音器である。
【００１４】
本発明の第７の態様は、
前記複数の吸音体は、前記筐体の中心軸方向に並ぶＭ個（Ｍは２以上の整数）の吸音体を一つの組として複数の組を構成し、各組の吸音体が、前記筐体の中心軸方向に順に配置されている
ことを特徴とする上記第２の態様に記載の消音器である。
【００１５】
本発明の第８の態様は、
前記複数の組の吸音体のうち、相対応する吸音体は、前記開口部の開口寸法および開口位置が等しい
ことを特徴とする上記第７の態様に記載の消音器である。
【００１６】
本発明の第９の態様は、
上記第１〜第８の態様のいずれか一つに記載された消音器を平面的に複数並べて構成されている
ことを特徴とする消音ユニットである。
【発明の効果】
【００１７】
本発明によれば、通気路への設置に適した消音器を低コストで提供することができる。
【図面の簡単な説明】
【００１８】
【図１】本発明の実施の形態に係る消音器の構成を示す断面図である。
【図２】（Ａ）は図１に示す消音器を左側（Ｆ矢視方向）から見た図であり、（Ｂ）は図１に示す消音器を右側から見た図である。
【図３】（Ａ）は吸音体３−１の構造を示し、（Ｂ）は吸音体３−２の構造を示し、（Ｃ）は吸音体３−３の構造を示す図である。
【図４】吸音体の開口部の重なり具合を説明する図である。
【図５】（Ａ）は吸音体３−４の構造を示し、（Ｂ）は吸音体３−５の構造を示し、（Ｃ）は吸音体３−６の構造を示す図である。
【図６】本発明の他の実施の形態に係る消音ユニットの構成を示すもので、図中（Ａ）は正面図、（Ｂ）は断面図である。
【図７】消音ユニットを構成する消音器の単体の構造を説明するもので、図中（Ａ）は消音器の正面図、（Ｂ）は消音器の断面図、（Ｃ）は消音器を構成する吸音体の正面図、（Ｄ）は消音器を構成する他の遮音体の正面図である。
【図８】吸音体の固定手段の一例を示す図である。
【発明を実施するための形態】
【００１９】
以下、本発明の実施の形態について図面を参照しつつ詳細に説明する。
本発明の実施の形態においては、次の順序で説明を行う。
１．実施の形態
１−１．消音器の構成
１−２．消音器の機能
１−３．実施の形態の効果
２．他の実施の形態
２−１．消音ユニットの構成
２−２．消音器の構成
２−３．消音器の機能
２−４．他の実施の形態の効果
３．変形例
【００２０】
＜１．実施の形態＞
図１は本発明の実施の形態に係る消音器の構成を示す断面図である。また、図２（Ａ）は図１に示す消音器を左側（Ｆ矢視方向）から見た図であり、同（Ｂ）は図１に示す消音器を右側から見た図である。
【００２１】
＜１−１．消音器の構成＞
消音器１は、大きくは、筒状の筐体２と、この筐体２の内部（筒内）に配置された板状の吸音体３とを備えた構成となっている。この消音器１を図示しない通気路に設置した場合、空気の流れる方向（以下、「通気方向」と記す）は、Ｆ矢視方向となる。
【００２２】
（筐体の構成）
筐体２は、たとえば、鉄板等を用いて形成されている。筐体２は、一方と他方を開口した筒状の空間を形成している。筐体２の一方とは通気方向Ｆの上流側に該当し、筐体２の他方とは通気方向Ｆの下流側を該当する。筐体２は、通気方向Ｆから見て、正方形または長方形の開口形状をもって筒状に形成されている。筐体２は一様な外形寸法をもって中心軸方向（長さ方向）に延在している。よって、筐体２の一方の開口４と他方の開口５は、互いに同一の形状および寸法に設定されている。筐体２の中心軸方向は、上述した通気方向Ｆと平行な方向となっている。筐体２の外形およびその寸法は、消音器１が設置される通気路（不図示）の断面形状および内径にあわせて設定されている。
【００２３】
（吸音体の構成）
吸音体３は、筐体２の内部に複数配置されている。これらの吸音体３は、それぞれ通気のための開口部（詳細は後述）を有するもので、剛体多孔質吸音材の一体構造物によって構成されている。ここで記述する「一体構造物」とは、当該吸音体３を構成する主原料が同一で、かつ一体化された構造体をいう。したがって、一体構造物には、全体的に継ぎ目等のない一体の構造物（成形物など）はもちろん、当該構造物を２つ以上貼り合わせ等によって一体化した構造物なども含む。吸音体３として好適に適用可能な剛体多孔質吸音材としては、ポアセル（出願人の登録商標）を挙げることができる。
【００２４】
ポアセルは、セメント系の吸音材である。さらに詳述すると、ポアセルは、硅酸カルシウム系水和物を基材とした剛体多孔質吸音材であって、直径０．１ｍｍ〜１ｍｍ程度の小さな気孔が全体積の８５％以上を占める発泡コンクリートである。ポアセルは、上記の気孔が相互に連通して得られる通気性を利用して音のエネルギーを吸収等して吸音する剛体多孔質吸音材である。
【００２５】
（吸音体の配置）
各々の吸音体３は、筐体２の中心軸方向（通気方向Ｆ）に位置をずらして配置されている。吸音体３は、図示しない固定手段によって筐体２に固定されている。吸音体３の固定手段としては、たとえば図８に示すように、一対のＬ型プレート１５で吸音体３の上下または左右の端部を挟み込み、その状態で各々のＬ型プレート１５を筐体２にリベット１６などで固定する形態などを採用することが可能である。各々の吸音体３は、筐体２の中心軸方向に所定の間隔で一列に並んで配置されている。ここで、複数の吸音体３を、吸音体３−１、吸音体３−２、吸音体３−３、吸音体３−４、吸音体３−５、吸音体３−６と区別する。そうした場合、複数の吸音体３は、通気方向Ｆの上流側から下流側に向かって、吸音体３−１、吸音体３−２、吸音体３−３、吸音体３−４、吸音体３−５、吸音体３−６の順に配置されている。
【００２６】
吸音体３−１は、筐体２の一端（一方の開口４）から当該筐体２の奥側に寸法Ｐ１だけ入り込んだ位置に配置されている。また、吸音体３−１と吸音体３−２とは間隔Ｐ２をあけて配置され、吸音体３−２と吸音体３−３とは間隔Ｐ３をあけて配置されている。吸音体３−３と吸音体３−４とは間隔Ｐ３をあけて配置され、吸音体３−４と吸音体３−５とは間隔Ｐ５をあけて配置され、吸音体３−５と吸音体３−６とは間隔Ｐ６をあけて配置されている。また、吸音体３−６は、筐体２の他端（他方の開口５）から当該筐体２の奥側に寸法Ｐ７だけ入り込んだ位置に配置されている。
【００２７】
ここで、上述した寸法Ｐ１と寸法Ｐ７の大小関係は、Ｐ１＞Ｐ７となっている。また、間隔Ｐ２と間隔Ｐ３の大小関係は、Ｐ２＜Ｐ３となっている。また、間隔Ｐ５と間隔Ｐ６の大小関係は、Ｐ５＞Ｐ６となっている。さらに、間隔Ｐ４を基準に、他の寸法および間隔との大小関係を比較すると、Ｐ１＜Ｐ４、Ｐ２＜Ｐ４、Ｐ３＞Ｐ４、Ｐ５＞Ｐ４、Ｐ６＞Ｐ４、Ｐ７＜Ｐ４となっている。
【００２８】
また、筐体２の中心軸方向において、通気方向Ｆの上流側を前段側、通気方向Ｆの下流側を後段側とすると、上述した複数の吸音体３のうち、筐体２の前段側に配置された３個の吸音体３−１、３−２、３−３は、１つの組（以下、「第１組」とする）を構成している。また、筐体２の後段側に配置された３個の吸音体３−４、３−５、３−６は、他の組（以下、「第２組」とする）を構成している。つまり、筐体２の内部には、複数の吸音体３が、２つの組に分けて配置されている。また、第１組に属する３つの吸音体３−１、３−２、３−３は、互いに異なる厚み寸法をもって形成されている。具体的には、最前段に配置された吸音体３−１が最も薄く形成され、真ん中に配置された吸音体３−２が最も厚く形成されている。この点は、第２組に属する３つの吸音体３−４、３−５、３−６についても同様である。
【００２９】
（吸音体の開口部について）
次に、各々の吸音体３に設けられた開口部について説明する。図３の（Ａ）は吸音体３−１の構造を示し、（Ｂ）は吸音体３−２の構造を示し、（Ｃ）は吸音体３−３の構造を示している。
【００３０】
第１組に属する３つの吸音体３−１、３−２、３−３のうち、吸音体３−１には一つの開口部６が形成されている。また、吸音体３−２には合計５つの開口部７ａ、７ｂが形成され、吸音体３−３には合計４つの開口部８が形成されている。これらの開口部６、７ａ、７ｂ、８は、いずれも円形に形成されている。
【００３１】
開口部６は、吸音体３−１の中央部に設けられている。開口部６は、たとえば、吸音体３−１の一辺の長さの１／２〜３／４程度（好ましくは２／３程度）の直径で円形に形成されている。一方、開口部７ａは、吸音体３−２の中央部に設けられ、他の４つの開口部７ｂは、開口部７ａの周囲に設けられている。また、４つの開口部７ｂは、それぞれ吸音体３−２の対角線上またはその近傍に中心をもつ円形に形成されている。開口部７ａは、開口部７ｂよりも小径に形成されている。具体的には、開口部７ａは、開口部７ｂの約半分の開口径（直径）で形成されている。また、上述した開口部６との関係で記述すると、開口部７ｂは、開口部６の約半分の開口径で形成されている。そして、筐体２の中心軸方向からみると、吸音体３−１に設けられた開口部６と、吸音体３−２に設けられた５つの開口部７ａ、７ｂとは、部分的に重なり合っている。具体的には、図４（Ａ）に示すように、図中右上がりのハッチングで示す部分で、開口部６と５つの開口部７ａ、７ｂとが重なり合っている。
【００３２】
４つの開口部８は、吸音体３−３の縦横の中心線上に中心をもつ円形に形成されている。各々の開口部８は、互いに同じ開口径で形成されている。また、上述した開口部７ａ、７ｂとの関係で記述すると、開口部８は、開口部７ａよりも大きく、かつ開口部７ｂよりも小さい開口径で形成されている。そして、筐体２の中心軸方向からみると、吸音体３−２に設けられた５つの開口部７ａ、７ｂと、吸音体３−３に設けられた４つの開口部８とは、部分的に重なり合っている。具体的には、図４（Ｂ）に示すように、図中右下がりのハッチングで示す部分で、５つの開口部７ａ、７ｂと４つの開口部８とが重なり合っている。さらに、吸音体３−１に設けられた開口部６と、吸音体３−２に設けられた４つの開口部７ｂと、吸音体３−３に設けられた４つの開口部８との間でも、部分的に重なり合っている。具体的には、図４（Ｃ）に示すように、図中交差するハッチングで示す部分で、開口部６と５つの開口部７ａ、７ｂと４つの開口部８とが重なり合っている。
【００３３】
次に、第１組に属する３つの吸音体３−１、３−２、３−３と、第２組に属する３つの吸音体３−４、３−５、３−６との関係について記述する。図５の（Ａ）は吸音体３−４の構造を示し、（Ｂ）は吸音体３−５の構造を示し、（Ｃ）は吸音体３−６の構造を示している。
【００３４】
上記２組の吸音体のうち、相対応する吸音体は、開口部の開口寸法および開口位置が等しい構成となっている。より具体的に記述すると、第１組と第２組とは、互いに開口部の開口位置および開口寸法が等しい吸音体３を用いて構成されている。すなわち、第１組に属する吸音体３−１の開口部６と、第２組に属する吸音体３−４の開口部９とは、互いに開口位置および開口寸法が等しく形成されている。同様に、第１組に属する吸音体３−２の開口部７ａ、７ｂと、第２組に属する吸音体３−５の開口部１０ａ、１０ｂとは、互いに開口位置および開口寸法が等しく形成されている。また、第１組に属する吸音体３−３の開口部８と、第２組に属する吸音体３−６の開口部１１とは、互いに開口位置および開口寸法が等しく形成されている。
【００３５】
また、第１組に属する吸音体３−１の厚み寸法と、第２組に属する吸音体３−４の厚み寸法とは、互いに等しい寸法に設定され、第１組に属する吸音体３−２の厚み寸法と、第２組に属する吸音体３−５の厚み寸法も、互いに等しい寸法に設定されている。これに対して、第１組に属する吸音体３−３の厚み寸法と、第２組に属する吸音体３−６の厚み寸法とは、互いに異なる寸法に設定されている。具体的には、第１組に属する吸音体３−３の厚み寸法に比べて、第２組に属する吸音体３−６の厚み寸法が小さく設定されている。
【００３６】
なお、第１組と第２組の各吸音体の厚み寸法の関係は、ここで例示した関係に限るものではなく、種々の変更が可能である。たとえば、第１組と第２組の吸音体の厚み寸法を一部共通の寸法に設定した形態（図示した形態を含む）の他に、図示はしないが、第１組と第２組の吸音体の厚み寸法をすべて同じ寸法に設定した形態や、第１組と第２組の吸音体の厚み寸法をすべて異なる寸法に設定した形態なども考えられる。
【００３７】
＜１−２．消音器の機能＞
続いて、本発明の実施の形態に係る消音器の機能について説明する。かかる機能の説明においては、上記図１に示すように、筐体２が形成する筒状の空間のうち、吸音体３−１と吸音体３−２が対向する空間を第１の対向空間Ｓ１、吸音体３−２と吸音体３−３が対向する空間を第２の対向空間Ｓ２、吸音体３−３と吸音体３−４が対向する空間を第３の対向空間Ｓ３、吸音体３−４と吸音体３−５が対向する空間を第４の対向空間Ｓ４、吸音体３−５と吸音体３−６が対向する空間を第５の対向空間Ｓ５とする。
【００３８】
（消音機能について）
まず、消音器１の消音機能について説明する。
実際に消音器１を通気路に設置した場合、この通気路を流れる空気は、筐体２の一方の開口４から取り込まれて当該筐体２内の空間を流れ、最終的に筐体２の他方の開口５から排出されていく。そして、筐体２の内部では、前述した第１〜第５の対向空間（Ｓ１〜Ｓ５）を区画する複数の吸音体３が音のエネルギーを吸収することにより、音が減衰する。
【００３９】
具体的には、筐体２の開口４から進入した音のうち、吸音体３−１の前面に入射した音は、当該吸音体３−１によって吸音される。また、吸音体３−１の開口部６を通過する音は、当該開口部６の内周面で一部吸音されながら第１の対向空間Ｓ１に進入する。
【００４０】
第１の対向空間Ｓ１に進入した音のうち、一部の音は吸音体３−２の前面に入射し、他の音は吸音体３−２の開口部７ａ、７ｂを通過する。吸音体３−２の前面に入射した音は、当該吸音体３−２によって吸音される。また、吸音体３−２の前面で反射した音の一部は、第１の対向空間Ｓ１に面する吸音体３−１の背面への入射や、吸音体３−２の前面への再入射、あるいはその繰り返しにより吸音される。また、吸音体３−２の開口部７ａ、７ｂを通過する音は、当該開口部７ａ、７ｂの内周面で一部吸音されながら第２の対向空間Ｓ２に進入する。
【００４１】
第２の対向空間Ｓ２に進入した音のうち、一部の音は吸音体３−３の前面に入射し、他の音は吸音体３−３の開口部８を通過する。吸音体３−３の前面に入射した音は、当該吸音体３−３によって吸音される。また、吸音体３−３の前面で反射した音の一部は、第２の対向空間Ｓ２に面する吸音体３−２の背面への入射や、吸音体３−３の前面への再入射、あるいはその繰り返しにより吸音される。また、吸音体３−３の開口部８を通過する音は、当該開口部８の内周面で一部吸音されながら第３の対向空間Ｓ３に進入する。
【００４２】
第３の対向空間Ｓ３に進入した音のうち、一部の音は吸音体３−４の前面に入射し、他の音は吸音体３−４の開口部９を通過する。吸音体３−４の前面に入射した音は、当該吸音体３−４によって吸音される。また、吸音体３−４の前面で反射した音の一部は、第３の対向空間Ｓ３に面する吸音体３−３の背面への入射や、吸音体３−４の前面への再入射、あるいはその繰り返しにより吸音される。また、吸音体３−４の開口部９を通過する音は、当該開口部９の内周面で一部吸音されながら第４の対向空間Ｓ４に進入する。
【００４３】
第４の対向空間Ｓ４に進入した音のうち、一部の音は吸音体３−５の前面に入射し、他の音は吸音体３−５の開口部１０ａ、１０ｂを通過する。吸音体３−５の前面に入射した音は、当該吸音体３−５によって吸音される。また、吸音体３−５の前面で反射した音の一部は、第４の対向空間Ｓ４に面する吸音体３−４の背面への入射や、吸音体３−５の前面への再入射、あるいはその繰り返しにより吸音される。また、吸音体３−５の開口部１０ａ、１０ｂを通過する音は、当該開口部１０ａ、１０ｂの内周面で一部吸音されながら第５の対向空間Ｓ５に進入する。
【００４４】
第５の対向空間Ｓ５に進入した音のうち、一部の音は吸音体３−６の前面に入射し、他の音は吸音体３−６の開口部１１を通過する。吸音体３−６の前面に入射した音は、当該吸音体３−６によって吸音される。また、吸音体３−６の前面で反射した音の一部は、第５の対向空間Ｓ５に面する吸音体３−５の背面への入射や、吸音体３−６の前面への再入射、あるいはその繰り返しにより吸音される。また、吸音体３−６の開口部１１を通過する音は、当該開口部１１の内周面で一部吸音されながら開口５に達し、そこから消音器１の外側に抜ける。
【００４５】
（通気機能について）
次に、消音器１の通気機能について説明する。
まず、筐体２の一方の開口４から取り込まれた空気は、最前段の吸音体３−１に設けられた開口部６を通して第１の対向空間Ｓ１に流入する。次に、第１の対向空間Ｓ１の空気は、次段の吸音体３−２に設けられた複数の開口部７ａ、７ｂを通過して第２の対向空間Ｓ２に流入する。さらに、第２の対向空間Ｓ２の空気は、次段の吸音体３−３に設けられた複数の開口部８を通過して第３の対向空間Ｓ３に流入する。
【００４６】
その際、筐体２の中心軸方向で隣り合う２つの吸音体３−１、３−２について、一方の吸音体３−１が有する開口部６の開口位置と他方の吸音体３−２が有する開口部７ａ、７ｂの開口位置が、筐体２の中心軸方向から見て互いに一部重なり合う状態に配置されている（図４（Ａ）参照）。
【００４７】
また、筐体２の中心軸方向で隣り合う２つの吸音体３−２、３−３についても、一方の吸音体３−２が有する開口部７ａ、７ｂの開口位置と他方の吸音体３−３が有する開口部８の開口位置が、筐体２の中心軸方向から見て互いに一部重なり合う状態に配置されている（図４（Ｂ）参照）。
【００４８】
さらに、筐体２の中心軸方向で相互に隣り合う３つの吸音体３−１、３−２、３−３についても、吸音体３−１が有する開口部６の開口位置と、吸音体３−２が有する開口部７ａ、７ｂの開口位置と、吸音体３−３が有する開口部８の開口位置が、筐体２の中心軸方向から見て互いに一部重なり合う状態に配置されている（図４（Ｃ）参照）。
【００４９】
このため、筐体２の中心軸方向で隣り合う２つの吸音体、あるいは３つの吸音体について、それらの開口部同士を重なり合わないように配置した場合に比べて、第１の対向空間Ｓ１から第２の対向空間Ｓ２を通して第３の対向空間Ｓ３に空気が流入するときの抵抗が小さくなる。この点は、第３の対向空間Ｓ３に流入した空気が、第４の対向空間Ｓ４を通して第５の対向空間Ｓ５に流入し、さらに第５の対向空間Ｓ５から消音器１の外部に流出するときも同様である。
【００５０】
＜１−３．実施の形態の効果＞
本発明の実施の形態に係る消音器１によれば、次のような効果が得られる。
【００５１】
すなわち、筐体２の内部に吸音体３を配置して消音機能と通気機能を両立させるにあたり、剛体多孔質吸音材の一体構造物からなる吸音体３を採用している。このため、従来のような吸音体の構造（吸音材にグラスウール等の繊維系材料を使用した構造）に比べて、吸音体の製造コストを大幅に低下させることができる。以下に、その具体的な理由を記述する。
【００５２】
まず、グラスウール等の繊維系材料を使用する場合は、当該繊維系材料を押さえるためにパンチングメタルが必要になる。また、パンチングメタルについては、大小複数のパンチングメタルを作製し、これらのパンチングメタルをボックス形状に組み立てて吸音体を形作る必要がある。さらに、ボックス形状に組み立てたパンチメタルのボックス内にグラスウールを充填する必要もある。また、一般にグラスウールのような繊維系材料の場合は、入射音に対する透過損失が小さいため、そこを透過しようとする音を遮る必要がある。このため、パンチングメタルの他に、鉄板などを上記ボックス内等に挿入する必要がある。したがって、従来構造の吸音体では製造コストが非常に高くなってしまう。
【００５３】
これに対して、本発明の実施の形態に係る吸音体３を用いた場合は、これ単独で設置することが可能である。また、グラスウールなどの繊維系材料に比較すると、剛体多孔質吸音材からなる吸音体３は、入射音に対する透過損失が格段に大きい（遮音性能が高い）。このため、パンチングメタルや遮音板が不要になる。したがって、従来構造に比較して吸音体の製造コストを大幅に低下させることができる。その結果、通気路への設置に適した消音器を低コストで提供することが可能となる。
【００５４】
また、本発明の実施の形態に係る消音器１では、筐体２の内部に複数の吸音体３を配置した構成を採用している。このため、筐体２の内部に吸音体３を一つだけ配置する場合に比べて、単に消音機能が向上するだけでなく、複数の吸音体３の存在によって、消音器の減音量や形状抵抗係数を調節することが可能となる。
【００５５】
具体的には、次のような種々のパラメータを調整することにより、消音器の減音量や形状抵抗係数を調節することが可能となる。
【００５６】
（第１例）
第１例として、筐体２の中心軸方向で隣り合う２つの吸音体３の間隔を調整することにより、消音器１の減音量や形状抵抗係数を調節することができる。
【００５７】
（第２例）
第２例として、筐体２の中心軸方向に並ぶ各吸音体３の厚み寸法を調整することにより、消音器１の減音量や形状抵抗係数を調節することができる。
【００５８】
（第３例）
第３例として、筐体２の中心軸方向で隣り合う２つの吸音体３の開口部の開口寸法を調整することにより、消音器１の減音量や形状抵抗係数を調節することができる。特に、筐体２の中心軸方向で隣り合う２つの吸音体、たとえば、吸音体３−１と吸音体３−２について、一方の吸音体３−１が有する開口部６の開口寸法と他方の吸音体３−２が有する開口部７ａ、７ｂの開口寸法を互いに異なる寸法とすれば、それらの寸法差を一つの調整パラメータとして消音器１の消音機能と通気機能のバランスをとることができる。
【００５９】
（第４例）
第４例として、筐体２の中心軸方向で隣り合う２つの吸音体３の開口部の開口位置を調整することにより、消音器１の減音量や形状抵抗係数を調節することができる。特に、筐体２の中心軸方向で隣り合う２つの吸音体、たとえば、吸音体３−１と吸音体３−２について、一方の吸音体３−１が有する開口部６の開口位置と他方の吸音体３−２が有する開口部７ａ、７ｂの開口位置を互いに異なる位置とすれば、それらの位置関係を一つの調整パラメータとして消音器１の消音機能と通気機能のバランスをとることができる。
【００６０】
（第５例）
第５例として、前述した複数の吸音体３の構造的要素（厚み、開口寸法、開口位置など）を単独で調整するか、適宜組み合わせて調整することにより、音の周波数帯域のなかでも、特に低音域（１２５Ｈｚ前後）での吸音効果を高めることができる。
【００６１】
また、本発明の実施の形態に係る消音器１においては、筐体２の内部に配置された各吸音体３の開口部の形状を円形（楕円を含む）としている。このため、たとえば、当該開口部の形状を四角形等の多角形とする場合に比べて、各吸音体３の開口部の通過する際の空気の流れを円滑化することができる。したがって、消音器１全体の通気機能を高めることが可能となる。
【００６２】
また、本発明の実施の形態に係る消音器１においては、合計６つの吸音体３を用いて合計２つの組、すなわち第１組と第２組を構成し、第１組の吸音体３−１、３−２、３−３と、第２組の吸音体３−４、３−５、３−６を、筐体２の中心軸方向に位置をずらして順に配置している。このため、各組単位での吸音効果と、各組相互間での吸音効果の相乗効果により、消音器１全体の吸音効果を高めることができる。
【００６３】
さらに、上述した複数の組を構成する場合に、各組の相対応する吸音体３同士、たとえば、吸音体３−１と吸音体３−４について、開口部６、９の開口寸法および開口位置を等しくしている。このため、消音器１を構成する部材の共通化によって、さらなるコストダウンを図ることができる。
【００６４】
＜２．他の実施の形態＞
図６は本発明の他の実施の形態に係る消音ユニットの構成を示すもので、図中（Ａ）は正面図、（Ｂ）は断面図である。
【００６５】
＜２−１．消音ユニットの構成＞
図示した消音ユニット２０は、複数の消音器２１を平面的に並べてユニット化した構成となっている。ここで記述する「平面的に並べて」とは、通風方向からみて複数の消音器２１を面的な広がりをもつように二次元的に並べた形態を意味する。
【００６６】
各々の消音器２１は、互いに隣接するかたちでマトリクス状（格子状）に配列されている。具体的には、合計９個の消音器２１が３×３のマトリクス配列で平面的に並んだ状態で、一つの消音ユニット２０を構成している。
【００６７】
＜２−２．消音器の構成＞
図７は消音ユニットを構成する消音器の単体の構造を説明するもので、図中（Ａ）は消音器の正面図、（Ｂ）は消音器の断面図、（Ｃ）は消音器を構成する吸音体の正面図、（Ｄ）は消音器を構成する他の遮音体の正面図である。
【００６８】
図示のように、消音器２１は、筒状の筐体２２の内部に複数（図例では３つ）の吸音体２３を配置した構成となっている。筐体２２は、たとえば、前述した実施の形態と同様に、鉄板等を用いて形成されている。また、筐体２２は、一方と他方を四角形（正方形または長方形）に開口した筒状の空間を形成している。
【００６９】
吸音体２３は、筐体２２の内部に３つ配置されている。各々の吸音体２３は、上記実施の形態と同様に、それぞれ通気のための開口部（詳細は後述）を有するもので、剛体多孔質吸音材（好ましくは、ポアセル）の一体構造物によって構成されている。３つの吸音体２３は、筐体２２の中心軸方向に等間隔に並んで配置されている。
【００７０】
ここで、一つの筐体２２に組み込まれる３つの吸音体２３を、その並び順に吸音体２３−１、２３−２、２３−３と区別すると、両側２つの吸音体２３−１、２３−３は、構造的に共通の吸音体となっている。すなわち、吸音体２３−１の中央部には円形の開口部２４が形成され、吸音体２３−３の中央部には、当該開口部２４と同じ開口寸法で円形の開口部２６が形成されている。
【００７１】
これに対して、上記２つの吸音体２３−１、２３−３の間（中間）に配置された吸音体２３−２には合計４つの開口部２５が形成されている。各々の開口部２５は、吸音体２３−２の対角線上またはその近傍に中心をもつ円形に形成されている。また、開口部２５の開口寸法は、開口部２４（２６）の開口寸法よりも小さく設定されている。そして、消音器２１を通気方向からみると、吸音体２３−１の開口部２４と吸音体２３−２の各開口部２５とは部分的に重なり合っている。また、吸音体２３−２の各開口部２５は、吸音体２３−３の開口部２６と部分的に重なり合っている。具体的には、各開口部２５の、吸音体２３−３の中心寄りの部分が、それぞれ開口部２４および開口部２６に重なり合う状態に配置されている。
【００７２】
また、吸音体２３−１と吸音体２３−３は構造的に共通の吸音体であるため、開口部２４と開口部２６とは全体的に重なり合っている。これにより、開口部２４に対して各開口部２５が重なり合う部分と、開口部２６に対して各開口部２５が重なり合う部分は、互いに共通の重なり部分となっている。したがって、消音器２１を通気方向からみると、当該共通の重なり部分を通して反対側を視認できることになる。
【００７３】
＜２−３．消音器の機能＞
ここで、消音器２１の機能について説明する。かかる機能の説明においては、上記図７（Ｂ）に示すように、筐体２２が形成する筒状の空間のうち、吸音体２３−１と吸音体２３−２が対向する空間を第１の対向空間Ｓ１１、吸音体２３−２と吸音体２３−３が対向する空間を第２の対向空間Ｓ１２とする。
【００７４】
（消音機能について）
まず、消音器２１の消音機能について説明する。
実際に消音ユニット２０（消音器２１）を通気路に設置した場合、この通気路を流れる空気は、たとえば、各消音器２１に対して、それぞれ筐体２２の一方の吸音体２３−１の開口部２４から取り込まれて当該筐体２２内の空間を流れ、最終的に筐体２２の他方の吸音体２３−３の開口部２６から排出されていく。
【００７５】
その際、吸音体２３−１の前面に入射した音は、当該吸音体２３−１によって吸音される。また、吸音体２３−１の開口部２４を通過する音は、当該開口部２４の内周面で一部吸音されながら第１の対向空間Ｓ１１に進入する。第１の対向空間Ｓ１１に進入した音のうち、一部の音は吸音体２３−２の前面に入射し、他の音は吸音体２３−２の開口部２５を通過する。吸音体２３−２の前面に入射した音は、当該吸音体２３−２によって吸音される。また、吸音体２３−２の前面で反射した音の一部は、第１の対向空間Ｓ１１に面する吸音体２３−１の背面への入射や、吸音体２３−２の前面への再入射、あるいはその繰り返しにより吸音される。また、吸音体２３−２の開口部２５を通過する音は、当該開口部２５の内周面で一部吸音されながら第２の対向空間Ｓ１２に進入する。
【００７６】
第２の対向空間Ｓ１２に進入した音のうち、一部の音は吸音体２３−３の前面に入射し、他の音は吸音体２３−３の開口部２６を通過する。吸音体２３−３の前面に入射した音は、当該吸音体２３−３によって吸音される。また、吸音体２３−３の前面で反射した音の一部は、第２の対向空間Ｓ１２に面する吸音体２３−２の背面への入射や、吸音体２３−３の前面への再入射、あるいはその繰り返しにより吸音される。また、吸音体２３−３の開口部２６を通過する音は、当該開口部２６の内周面で一部吸音されながら消音器２１の外側に抜ける。
【００７７】
（通気機能について）
次に、消音器２１の通気機能について説明する。
まず、吸音体２３−１の開口部２４から取り込まれた空気は、第１の対向空間Ｓ１１から吸音体２３−２の各開口部２５を通して第２の対向空間Ｓ１２に流入する。さらに、第２の対向空間Ｓ１２の空気は、吸音体２３−３の開口部２６を通して、消音器２１の外部に流出する。
【００７８】
その際、筐体２２の中心軸方向で隣り合う２つの吸音体２３−１、２３−２について、一方の吸音体２３−１が有する開口部２４の開口位置と他方の吸音体２３−２が有する開口部２５の開口位置が、筐体２２の中心軸方向の一方（通気方向の上流側）から見て互いに一部重なり合う状態に配置されている（図７（Ａ）参照）。
【００７９】
また、筐体２２の中心軸方向で隣り合う２つの吸音体２３−２、２３−３についても、一方の吸音体２３−２が有する開口部２５の開口位置と他方の吸音体２３−３が有する開口部２６の開口位置が、筐体２２の中心軸方向の一方から見て互いに一部重なり合う状態に配置されている。
【００８０】
さらに、筐体２２の中心軸方向で相互に隣り合う３つの吸音体２３−１、２３−２、２３−３についても、吸音体２３−１が有する開口部２４の開口位置と、吸音体２３−２が有する開口部２５の開口位置と、吸音体２３−３が有する開口部２６の開口位置が、筐体２２の中心軸方向の一方から見て互いに一部重なり合う状態に配置されている。
【００８１】
このため、筐体２２の中心軸方向で隣り合う２つの吸音体、あるいは３つの吸音体について、それらの開口部同士を重なり合わないように配置した場合に比べて、第１の対向空間から第２の対向空間を通して第３の対向空間に空気が流入するときの抵抗が小さくなる。
【００８２】
＜２−４．他の実施の形態の効果＞
上記構成からなる消音ユニット２０においては、消音器２１単体で得られる前述の効果（低コスト化など）に加えて、次のような効果が得られる。すなわち、消音ユニット２０を構成する複数の消音器２１がそれぞれ独立して消音機能と通気機能を有する。このため、消音器２１を構成する消音器２１の個数が変化（増減）しても、消音器２１全体で消音機能と通気機能が維持される。したがって、小型の通気路から大型の通気路に至るまで、それぞれの規模に適した個数の消音器２１を用いて消音ユニット２０を構成することができる。
【００８３】
また、消音器２１の構成上、吸音体２３−１と吸音体２３−３を同じ構造体で構成しているため、構成部材の共通化によるコストダウンに加えて、施工性の向上が図られる。その理由は、通気路に消音ユニット２０を設置したときの通気方向が、各消音器２１において、吸音体２３−１から吸音体２３−３に向かう方向でも、吸音体２３−３から吸音体２３−１に向かう方向でも、消音機能および通気機能に違いが生じないためである。これにより、消音ユニット２０を設置する際に、いちいち消音器２１の向きを確認せずに済む。このため、施工の手間を省くことができる。
【００８４】
＜３．変形例＞
なお、本発明の技術的範囲は上述した実施の形態に限定されるものではなく、発明の構成要件やその組み合わせによって得られる特定の効果を導き出せる範囲において、種々の変更や改良を加えた形態も含む。
【００８５】
たとえば、先述した実施の形態においては、筐体２の内部に２つの組に分けて複数の吸音体３を配置したが、これに限らず、３つ以上の組にわけて複数の吸音体３を配置してもよい。また、２個の吸音体３で一つの組を構成してもよいし、４個以上の吸音体３で一つの組を構成してもよい。つまり、消音器１の構成としては、筐体２の中心軸方向に並ぶＭ個（Ｍは２以上の整数）の吸音体３を一つの組として複数の組を構成し、各組の吸音体３が、筐体２の中心軸方向に順に配置された形態であればよい。
【００８６】
また、後述した実施の形態において、１つの消音ユニット２０を合計９個の消音器２１によって構成したが、一つの消音ユニット２０を構成する消音器２１の個数は変更可能である。また、一つの消音器２１に用いられる吸音体２３の個数も変更可能である。
【００８７】
また、上述した各実施の形態においては、筐体の中心軸方向で隣り合う２つの吸音体について、一方の吸音体が有する開口部の開口位置と他方の吸音体が有する開口部の開口位置を、筐体の中心軸方向の一方から見て互いに一部重なり合う状態に配置したが、消音器の低コスト化を図るうえでは、必ずしもそれらの開口位置が重ならなくてもよい。具体例として、空気抵抗が多少大きくなっても消音効果を高めたい場合などは、一方の吸音体と他方の吸音体の開口寸法によっては、両者の開口位置が重ならない場合もあり得る。
【符号の説明】
【００８８】
１、２１…消音器
２、２２…筐体
３、２３…吸音体
６、７ａ、７ｂ、８、９、１０ａ、１０ｂ、１１、２４、２５、２６…開口部
２０…消音ユニット
【図１】
2012046898.tif 000003
【図２】
2012046898.tif 000004
【図３】
2012046898.tif 000005
【図４】
2012046898.tif 000006
【図５】
2012046898.tif 000007
【図６】
2012046898.tif 000008
【図７】
2012046898.tif 000009
【図８】
2012046898.tif 000010